(57)【特許請求の範囲】
【請求項１】
上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記上板および下板と重合わされるとともに段目の方向が前記上板および下板の段目の方向とそれぞれ直交するように前記上板および下板の内側に位置決め板が配され、該位置決め板の前記連結ブロックの上部および底部と整合する切欠き内に前記連結ブロックが配置されて位置決めされた状態で前記連結ブロックを上板と下板とにそれぞれ固着した搬送用パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが前記上板と下板とにそれぞれ固着されることを特徴とする搬送用パレット。
【請求項２】
上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記上板および下板と重合わされるようにその内側に前記上板または下板と同じ大きさの保持板が形成され、該保持板に切起して形成された保持片によって前記連結ブロックが保持されるとともに、前記連結ブロックを保持した前記保持板を前記上板と下板とにそれぞれ接合して固着した搬送用パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが上板と下板にそれぞれ固着されて、前記保持板の保持片がそれぞれの連結ブロックを両側から保持するように形成され、前記連結ブロックの両側の面を挟着保持することを特徴とする搬送用パレット。
【請求項３】
上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記連結ブロックに補強板を接合し、前記上板および下板と重合わされるとともに段目の方向が前記上板および下板の段目の方向とそれぞれ直交するように前記上板および下板の内側に位置決め板が配され、該位置決め板の切欠き内に前記連結ブロックが配されて位置決めされた状態で前記補強板を接合した前記連結ブロックを上板と下板とにそれぞれ固着した搬送パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが上板と下板とにそれぞれ固着され、前記補強板が段ボールを折曲げて組立てられ、コの字状に折曲げられた第１の補強板が前記連結ブロックの上下面と一方の側面とに接合され、コの字状に折曲げられた第２の補強板が前記連結ブロックの前記一方の側面とは反対側の他方の側面に接合されることを特徴とする搬送用パレット。
【発明の詳細な説明】
【０００１】
【発明の属する技術分野】
本発明は搬送用パレットに係り、とくに上板と下板との間に連結ブロックを介装して成る搬送用パレットに関する。
【０００２】
【従来の技術】
物品の移動のために、従来より搬送用パレットが広く用いられている。搬送用パレットは木製の板と角材とを組合わせて組立てられるようになっている。通常上下のパネル間に角材から成る木柱を配し、これらを互いに釘等で結合して組立てるようにしている。
【０００３】
このような搬送用パレット上には所定の数量あるいは所定の重量の物品が載置される。そして物品が載置された状態で、上板と下板との間の空間にフォークリフトの爪を挿入して持上げるようにしており、これによって別の位置に物品の移動を行なうようにしている。このような搬送用パレットを用いることによって、荷役作業の大幅な合理化が図られることになる。
【０００４】
【発明が解決しようとする課題】
従来のこのような木製の搬送用パレットの欠点は、上下の板状体の間に木柱を介在させた状態で組立てられるようになっているために、重量が重いという欠点があった。また重量が重いために、所定の場所で繰返して利用されるようになっており、物品を載置した状態でそのまま遠方に輸送するための梱包手段の一部としては利用されていない。
【０００５】
本発明はこのような問題点に鑑みてなされたものであって、重量が軽量であって、梱包手段の一部を構成して物品とともにそのまま移動して用いることが可能な搬送用パレットを提供することを目的とする。
【０００６】
【課題を解決するための手段】
本願の一発明は、上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記上板および下板と重合わされるとともに段目の方向が前記上板および下板の段目の方向とそれぞれ直交するように前記上板および下板の内側に位置決め板が配され、該位置決め板の前記連結ブロックの上部および底部と整合する切欠き内に前記連結ブロックが配置されて位置決めされた状態で前記連結ブロックを上板と下板とにそれぞれ固着した搬送用パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが前記上板と下板とにそれぞれ固着されることを特徴とする搬送用パレットに関するものである。
【０００７】
本願の別の発明は、上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記上板および下板と重合わされるようにその内側に前記上板または下板と同じ大きさの保持板が形成され、該保持板に切起して形成された保持片によって前記連結ブロックが保持されるとともに、前記連結ブロックを保持した前記保持板を前記上板と下板とにそれぞれ接合して固着した搬送用パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが上板と下板にそれぞれ固着されて、前記保持板の保持片がそれぞれの連結ブロックを両側から保持するように形成され、前記連結ブロックの両側の面を挟着保持することを特徴とする搬送用パレットに関するものである。
本願のさらに別の発明は、上板と下板との間に連結ブロックを介装して成る搬送用パレットにおいて、
段ボールの段目と交差する方向に互いに平行な複数の切断線を形成するとともに、それぞれの前記切断線を部分的に連結する連結部を前記切断線を遮断して複数ヶ所に形成し、前記切断線のところで交互に逆方向に折曲げて重合わせて接合することにより前記連結ブロックを形成し、
前記連結ブロックに補強板を接合し、前記上板および下板と重合わされるとともに段目の方向が前記上板および下板の段目の方向とそれぞれ直交するように前記上板および下板の内側に位置決め板が配され、該位置決め板の切欠き内に前記連結ブロックが配されて位置決めされた状態で前記補強板を接合した前記連結ブロックを上板と下板とにそれぞれ固着した搬送パレットであって、
前記連結ブロックを組立てる段ボールの段目に対して直角に前記切断線が形成され、しかも前記連結ブロックを組立てる段ボールの段目が高さ方向に延びるように配列された状態で前記連結ブロックが上板と下板とにそれぞれ固着され、前記補強板が段ボールを折曲げて組立てられ、コの字状に折曲げられた第１の補強板が前記連結ブロックの上下面と一方の側面とに接合され、コの字状に折曲げられた第２の補強板が前記連結ブロックの前記一方の側面とは反対側の他方の側面に接合されることを特徴とする搬送用パレットに関するものである。
【０００８】
【作用】
従って上記の一発明によれば、段ボールを切断線のところで交互に逆方向に折曲げて重合わせて接合することによって連結ブロックが組立てられる。そしてこのような連結ブロックを上板と下板との間に介装して結合することによって、搬送用パレットが組立てられる。このような搬送用パレットは、その上板の上面に物品を載置するとともに、このような状態において上板と下板との間の部分であって連結ブロックによって形成される空間にフォークリフトの爪を挿入して持上げることによって、物品を移動させることが可能になる。
【０００９】
【発明の実施の形態】
図１〜図６は本発明の第１の実施の形態の搬送用パレットを示している。搬送用パレットは図５および図６に示すように、上板１１と、下板１２と、上板１１の内側に接合される上側の位置決め板１３と、下板１２の上側に接合される下側の位置決め板１４と、上下の位置決め板１３、１４によって位置決めされた状態で上板１１と下板１２との間に介装される連結ブロック１６とから構成されている。ここで連結ブロック１６は上下の位置決め板１３、１４の切欠き１５によって位置決めされる。
【００１０】
本実施の形態の搬送用パレットはその総てが段ボールから構成されている。すなわち図１に示すように、上板１１および下板１２は長方形あるいは正方形の段ボールのパネルから構成される。また上下の位置決め板１３、１４は図２に示すように、上板１１および下板１２と同じ大きさの段ボールの所定の位置を切欠いて切欠き１５を形成したものである。なおここで上板１１および下板１２とそれぞれ重合わされる上下の位置決め板１３、１４の段目の方向は、上板１１および下板１２の段目の方向と直角に交差する方向であることが好ましい。
【００１１】
次に中間に介在される連結ブロック１６の組立てについて説明する。連結ブロック１６は図３に示すような細長い段ボール２０によって組立てられるようになっている。この段ボール２０にはその段目と直交する方向に所定の間隔で切断線２１が形成されるようになっている。そして切断線２１を分断するように切込み２２が形成されるとともに、このような切込み２２によって囲まれた連結部２３が切断線２１を横切るようにそれぞれの切断線２１の部位において複数個形成される。
【００１２】
このような段ボール２０の表面であって所定の位置に図３に示すように糊２４を塗布する。そして段ボール２０を切断線２１のところで交互に逆方向に図４に示すように折曲げる。切断線２１のところに連結部２３が形成されているために、このような連結部２３によってジグザグに折曲げられた段ボール２０は互いに連結された状態になる。従って折曲げた段ボール２０を互いに重合わせて糊２４によって接合することにより、図５に示すような直方体状の連結ブロック１６が組立てられる。
【００１３】
このような連結ブロック１６はその段目の方向が高さ方向に配向するようにして上板１１と下板１２との間に図５に示すように取付けられる。このときに連結ブロック１６の上部は上側の位置決め板１３の切欠き１５に受入れられるとともに、連結ブロック１６の底部は下側の位置決め板１４の切欠き１５に受入れられる。これによって連結ブロック１６はその上下の部分が正しく位置決めされる。そして連結ブロック１６の上下の面および位置決め板１３、１４がそれぞれ上板１１の下面および下板１２の上面に糊付けされて結合される。このようにして図６に示すような搬送用パレットが組立てられる。
【００１４】
このような搬送用パレットは、上述の如くその総ての構成部分が段ボールから組立てられているために、木製のパレットに比べてはるかに軽量になる。すなわち木製のパレットであって重量が３０ｋｇのパレットと同じ大きさのものを段ボールで製作したところ、その重量が５．６ｋｇであって、約１／５以下の重量にすることが可能である。しかも上板１１と下板１２との間に９個の連結ブロック１６を配したパレットの場合には、耐圧強度が１０トン以上に達することが確認されている。しかも全体が段ボールから構成されているために、リサイクル可能であるばかりか、焼却廃棄する場合においても、公害の原因にならない。また段ボールから成るために、安価に搬送用パレットを提供することが可能になる。
【００１５】
次に第２の実施の形態を図７および図８によって説明する。この実施の形態は上板１１の下側に上側の補助板２９が配されるとともに、下板１２の上側に下側の補助板３０が配されるようになっている。そして上側の補助板２９の下側には上側の保持板３１が、下側の補助板３０の上側には下側の保持板３２がそれぞれ接合されるようになっている。
【００１６】
上下の保持板３１、３２には連結ブロック１６を取付ける位置にそれぞれ切起して成る保持片３３が形成されており、このような保持片３３によって図７および図８に示すように、上板１１と下板１２との間に介装される連結ブロック１６の側面を挟着するようにして保持するようにしている。保持片３３は連結ブロック１６の両側面にそれぞれ糊付けされて固定されるようになっている。
【００１７】
このような実施の形態によれば、上板１１と下板１２との間に介在される連結ブロック１６が保持板３１、３２にそれぞれ切起して形成された保持片３３によって両側面が挟着されるように保持されているために、連結ブロック１６の上板１１あるいは下板１２に対する保持構造が極めて安定になる。また保持片３３によって連結ブロック１６の側面が覆われるために、連結ブロック１６の補強が保持片３３によって行なわれることになり、これによって強度が強化されるようになる。
【００１８】
次に第３の実施の形態を図９および図１０によって説明する。この実施の形態は、上板１１の下面と下板１２の上面にそれぞれ位置決め板１３、１４を配置するようにしており、この限りにおいて第１の実施の形態と同様である。すなわち上下の位置決め板１３、１４に形成されている切欠き１５によって位置決めされた状態で連結ブロック１６が上板１１と下板１２との間に介装されるようになる。
【００１９】
ここでとくに連結ブロック１６は補強板３９および／または補強板４０によって補強されるようになっている。補強板３９は連結ブロック１６の一側面から上下面に延びるように連結ブロック１６と組合わされるようになっている。これに対して補強板４０は連結ブロック１６の一側面に取付けられるようになっている。ここで図９および図１０において両側に配置されている連結ブロック１６については、補強板３９と補強板４０とによって補強されるようになっている。これに対して中央の列の連結ブロック１６はその両側から補強板４０によって補強されるようにしている。
【００２０】
このように補強板３９、４０によって補強される連結ブロック１６は位置決め板１３、１４の切欠き１５の部分に位置決めされるようになっている。このときに補強板３９、４０が切欠き１５内に位置決めされた状態で上板１１の下面あるいは下板１２の上面にそれぞれ糊付けされて固定されることになる。従って連結ブロック１６の上板１１あるいは下板１２に対する結合構造がより強固になるとともに、上板１１あるいは下板１２に対して連結ブロック１６が位置ずれを発生することがなくなる。また補強板３９、４０によって耐圧荷重を高めることが可能になり、より大きな重量の物品の搬送に適用できるようになる。
【００２１】
【発明の効果】
本願の一発明は、上板と下板との間に連結ブロックを介装して成る搬送用パレットにおいて、段ボールの段目と交差する方向に互いに平行な複数の切断線を形成するとともに、それぞれの切断線を部分的に連結する連結部を切断線を遮断して複数ヶ所に形成し、切断線のところで交互に逆方向に折曲げて重合わせて接合することにより連結ブロックを形成し、上板および下板と重合わされるとともに段目の方向が上板および下板の段目の方向とそれぞれ直交するように上板および下板の内側に位置決め板が配され、該位置決め板の連結ブロックの上部および底部と整合する切欠き内に連結ブロックが配置されて位置決めされた状態で連結ブロックを上板と下板とにそれぞれ固着した搬送用パレットであって、連結ブロックを組立てる段ボールの段目に対して直角に切断線が形成され、しかも連結ブロックを組立てる段ボールの段目が高さ方向に延びるように配列された状態で連結ブロックが上板と下板とにそれぞれ固着されるようにしたものである。
【００２２】
従ってこのような搬送用パレットによれば、段ボールを交互に逆方向に折曲げて重合わせて接合することにより連結ブロックが組立てられることになり、このような段ボール製の連結ブロックによって軽量化を図ることが可能になる。なお上板と下板とをも段ボールから構成すると、より軽量になるとともに安価な搬送用パレットが提供されるようになる。
【図面の簡単な説明】
【図１】搬送用パレットの上板の平面図である。
【図２】位置決め板の平面図である。
【図３】連結ブロックの展開平面図である。
【図４】連結ブロックの組立てを示す斜視図である。
【図５】搬送用パレットの分解斜視図である。
【図６】搬送用パレットの組立て斜視図である。
【図７】第２の実施の形態の搬送用パレットの分解斜視図である。
【図８】同搬送用パレットの外観斜視図である。
【図９】第３の実施の形態の搬送用パレットの分解斜視図である。
【図１０】同搬送用パレットの外観斜視図である。
【符号の説明】
１１  上板
１２  下板
１３  位置決め板（上）
１４  位置決め板（下）
１５  切欠き
１６  連結ブロック
２０  段ボール
２１  切断線
２２  切込み
２３  連結部
２４  糊
２９  補助板（上）
３０  補助板（下）
３１  保持板（上）
３２  保持板（下）
３３  保持片
３９、４０  補強板
【図１】
0004318351.tif 000002
【図２】
0004318351.tif 000003
【図３】
0004318351.tif 000004
【図４】
0004318351.tif 000005
【図５】
0004318351.tif 000006
【図６】
0004318351.tif 000007
【図７】
0004318351.tif 000008
【図８】
0004318351.tif 000009
【図９】
0004318351.tif 000010
【図１０】
0004318351.tif 000011